(57)【要約】      （修正有）【課題】専用の機器を取りそろえることなく、取り込んだ映像と音声をネットワークに接続した映像音響装置を介して通信することを実現する。【解決手段】リモコン１は、カメラ２と、マイク３と、スイッチ類４と、対象機器（映像音響装置）やリモコン自体を操作するための機能を制御する制御部と、リモコンを駆動する電源と、対象機器との通信手段５を備えている。カメラで撮像した映像とマイクで集音した音声を電気信号に変換して映像音響装置に通信する。【選択図】図１
2011040922.tif 000002
【特許請求の範囲】
【請求項１】
ネットワークとの接続機能及び情報処理機能とを有する映像音響装置を操作するスイッチ類と制御部と電源を有するリモコンであって、リモコンはカメラとマイクを備え、カメラで撮像した映像とマイクで集音した音声を電気信号に変換する信号変換機能と、電気信号を映像音響装置に通信する通信手段を有することを特徴としたリモコン。
【請求項２】
ネットワークとしてインターネットを利用することを特徴とする請求項１記載のリモコン。
【請求項３】
映像音響装置はテレビジョン装置であることを特徴とする請求項１記載のリモコン。
【請求項４】
映像音響装置はパソコンであることを特徴とする請求項１記載のリモコン。
【請求項５】
映像音響装置はカラオケ装置であることを特徴とする請求項１記載のリモコン。
【発明の詳細な説明】
【技術分野】
【０００１】
この発明は、ネットワークに接続された映像音響装置を操作するリモコンに関するものである。
【背景技術】
【０００２】
対象機器（テレビジョン装置等）を操作する一般的なリモコンには、電源をＯＮ／ＯＦＦするボタン、チャンネルを切り替えるボタン、音量を操作するボタン等のスイッチ類と、対象機器を操作するための信号を制御する制御部と、制御部を駆動する電源（乾電池等）と、赤外線等を使った対象機器との通信手段が備わっている。
【先行技術文献】
【特許文献】
【０００３】
【特許文献１】特開２００４−２０８１５９号
【０００４】
特許文献１には、インターネット等のネットワークに接続可能なテレビジョン装置を制御するリモートコントローラに画像撮影手段を設け、画像撮影手段により撮影された画像を、テレビジョン装置に転送する転送手段に関する技術が提案されている。
【発明の概要】
【発明が解決しようとする課題】
【０００５】
しかしながら、画像のみを取り扱うため、テレビジョン装置のもつ音響機能は使用されず、まさに宝の持ち腐れである。
【課題を解決するための手段】
【０００６】
この発明は、ネットワークとの接続機能及び情報処理機能とを有する映像音響装置を操作するスイッチ類と制御部と電源を有するリモコンであって、リモコンはカメラとマイクを備え、カメラで撮像した映像とマイクで集音した音声を電気信号に変換する信号変換機能と、電気信号を映像音響装置に通信する通信手段を有することを特徴とする。
【発明の効果】
【０００７】
この発明により、リモコンにカメラとマイクを設けたので、インターネット等のネットワークに接続された映像音響装置を介して、他の映像音響装置に対して映像と音声を送ることができる。
【図面の簡単な説明】
【０００８】
【図１】本発明のリモコンの外観図
【図２】本発明のリモコンの構成図
【発明を実施するための形態】
【０００９】
図１と図２に示すように、本発明のリモコン１は、カメラ２と、マイク３と、スイッチ類４と、対象機器（映像音響装置）やリモコン自体を操作するための機能を制御する制御部７と、リモコン１を駆動する電源６と、対象機器との通信手段５を備えている。
【００１０】
スイッチ類４は、電源をＯＮ／ＯＦＦするボタン４ａ、チャンネルを切り替えるボタン４ｂ、４ｃ、音量を操作するボタン４ｄ等がある。
【００１１】
通信手段５は、赤外線や電波を使用する無線通信手段や、コネクタ付きのケーブルを介した有線通信手段がある。
無線通信手段としては、赤外線通信、ＲＦ通信、ブルートゥース（登録商標）等があり、有線通信手段としては、ＩＥＥＥ１３９４インターフェースを利用するもの等がある。
【００１２】
電源６は、一般的には乾電池等のバッテリーを使用しているが、太陽電池等でもよい。
【００１３】
制御部７は、スイッチ類４が押されることで以下の機能を実行する。
（１）機器制御機能
この機能は、対象機器を操作するための信号を制御する機能である。
例えば、対象機器の電源のＯＮ／ＯＦＦがある。
（２）撮像機能
この機能は、カメラ２を使って映像を撮像する機能である。
なお、映像は動画に限らず、静止画であってもよい。
（３）集音機能
この機能は、マイク３を使って音声を集音する機能である。
（４）信号変換機能
この機能は、カメラ２で撮像した映像と、マイク３で集音した音声を、電気信号に変換する信号変換機能である。
（５）メモリ機能
この機能は、映像並びに音声を信号変換機能を使って変換した電気信号を格納する機能である。
（６）通信制御機能
この機能は、通信手段５を使って電気信号を映像音響装置に対して通信する機能である。
【実施例】
【００１４】
次に、それぞれの対象機器（映像音響装置）を具体的な例として、この発明のリモコン１の使用方法を説明する。
【００１５】
映像音響装置がテレビジョン装置の場合
テレビジョン装置は、インターネット等のネットワークとの接続機能及び情報処理機能とを有し、ネットワークに接続されている。
例えば、遠方に住む家族（例えばおじいちゃんやおばあちゃん）に対して子供（例えば孫）の成長を知らせる場合、自宅のテレビジョン装置を操作するリモコン１のカメラ２とマイク３を使って取り込んだ映像と音声を信号変換機能使って電気信号に変換し、メモリ機能に格納する。
そして、その電気信号を通信手段５でテレビジョン装置に送り、インターネットを介しておじいちゃんの家の映像音響装置（例えばテレビジョン装置）に送られ、その電気信号は映像と音声に変換されて、画面とスピーカーを通して孫の成長を確認することができる。
これにより、家庭用ビデオカメラなどの特別な機器を購入する必要がない。
【００１６】
映像音響装置がパソコンの場合
パソコンは、インターネット等のネットワークとの接続機能及び情報処理機能とを有し、ネットワークに接続されている。
例えば、通常のネットオークションでは商品の写真と説明を載せているが、商品の詳細や動きを確かめたい場合や出品者の説明を直に聞きたい場合があっても対応できない。
しかし、この発明では、出品者はパソコンを操作するリモコン１のカメラ２とマイク３を使って商品の映像と商品説明の音声を信号変換機能使って電気信号に変換し、通信手段５でパソコンに送り、インターネットを介して入札希望者の映像音響装置（例えばパソコン）に送られ、その電気信号は映像と音声に変換されて、画面とスピーカーを通して商品の詳細を確認することができる。
これにより、より進化したネットオークションを簡単に楽しむことができる。
【００１７】
映像音響装置がカラオケ装置の場合
カラオケ装置は、ネットワークとの接続機能及び情報処理機能とを有し、専用回線や電話回線等のネットワークに接続されている。
例えば、カラオケ店Ａでカラオケ装置を操作するリモコン１のカメラ２とマイク３を使って取り込んだ映像と音声を信号変換機能使って電気信号に変換し、その電気信号を通信手段５でカラオケ装置に送り、専用回線を介してカラオケ店Ｂのカラオケ装置に送られ、その電気信号は映像と音声に変換されて、画面とスピーカーを通してカラオケ店Ａの音楽映像が映し出される。
これにより、離れたカラオケ店でカラオケ大会を催すことも可能となるし、離れたカラオケ店であってもデュエットを楽しむこともできる。
また、カラオケ店は、カラオケ装置用のマイクや、カメラを揃える必要がない。
【産業上の利用可能性】
【００１８】
この発明は、ネットワークにつながれた映像音響装置を操作するリモコンに関するものである。
【符号の説明】
【００１９】
１  リモコン
２  カメラ
３  マイク
４  スイッチ類
５  通信手段
６  電源
７  制御部
【図１】
2011040922.tif 000003
【図２】
2011040922.tif 000004